(57)【要約】【課題】ステッチャによって綴付けるために馬乗り状に供給された印刷物から綴付けられた印刷製品（２）を製造するための装置において、搬送装置から綴付け装置への印刷物の確実な搬送を保持する。【解決手段】個別要素から構成され側方に傾斜して低没している支台（４）と綴付け搬送路に前置された中間搬送装置（６）に対して印刷製品（２）を装置動作サイクル方向に移送するためのドライバ（５）とを有する搬送装置（３）を備える装置（１）であり、搬送装置（３）と中間搬送装置（６）との間の移行領域を周囲部にドライバ（５）に対して割り当てられた少なくとも１つの窪み部（１４）を備えクロック制御して駆動される側部支持盤（８）によって構成する。【選択図】図２
2004182473.tif 000002
【特許請求の範囲】
【請求項１】
ステッチャによって綴付けるために馬乗り状に供給された少なくとも１つの印刷物から綴付けられた印刷製品（２）を製造するためのものであり、個別要素から構成され側方に傾斜して低没している支台（４）と綴付け搬送路に前置された中間搬送装置（６）に対して印刷物を装置動作サイクル方向に移送するためのドライバ（５）とを有する搬送装置（３）を備える装置（１）において、搬送装置（３）と中間搬送装置（６）との間の移行領域を周囲部にドライバ（５）に対して割り当てられた少なくとも１つの窪み部（１４）を備えクロック制御して駆動される側部支持盤（８）によって構成することを特徴とする装置。
【請求項２】
支持盤（８）は搬送装置（３）の低没した支台（４）の側方に配置された平面状の表面を有することを特徴とする請求項１記載の装置。
【請求項３】
支持盤（８）に対して印刷製品（２）の搬送方向（Ｆ）において印刷製品（２）の脚部を側方の支台（４）上に持ち上げる誘導装置（７）が前置されていることを特徴とする請求項２記載の装置。
【請求項４】
支持盤（８）は搬送装置（３）の転向輪（１７）と結合された伝達機構によって駆動されることを特徴とする請求項１ないし３のいずれかに記載の装置。
【請求項５】
伝達機構は駆動結合された２つのタイミングベルト伝達装置（１５，１６）から構成されることを特徴とする請求項４記載の装置。
【請求項６】
支持盤（８）は伝達機構と結合されたハブに取り外し可能に固定されることを特徴とする請求項４または５記載の装置。
【請求項７】
支持盤（８）の支持作用を有する周囲部は印刷製品（２）の搬送軌道に対して略接線方向に配置されることを特徴とする請求項１ないし６のいずれかに記載の装置。
【請求項８】
中間搬送装置（６）の作用領域内に印刷製品（２）を馬乗り状に載置するために設けられたガイドレール（１１）を有し、支持盤（８）の表面はガイドレール（１１）の側方に作用するように配置されることを特徴とする請求項１ないし７のいずれかに記載の装置。
【請求項９】
搬送装置（３）の両側に互いに向かい合った支持盤（８）が配置されることを特徴とする請求項１ないし８のいずれかに記載の装置。
【請求項１０】
中間搬送装置（６）の下方に印刷製品（２）を押し広げる押し広げ楔（１３）が設けられることを特徴とする請求項１ないし９のいずれかに記載の装置。
【発明の詳細な説明】
【発明の詳細な説明】
【０００１】
この発明は、ステッチャによって綴付けるために馬乗り状に供給された少なくとも１つの印刷物から綴付けられた印刷製品を製造するための装置であり、個別の要素から構成され側方に傾斜して低没している支台と綴付け搬送路に前置された中間搬送装置に対して印刷物を装置動作サイクル方向に移送するためのドライバとを有する搬送装置を備える装置に関する。
【０００２】
この種の装置は、綴付けされた印刷製品を製造するための丁合綴付け装置において知られている。印刷物は一重または二重レールによって構成された搬送装置に沿って配置された紙送り装置によってこの搬送装置上に馬乗り状に積重ねられて集積され、ドライバによって搬送される。二重に周回しているチェーンまたはベルト等の牽引要素によって掲載された綴付け搬送路上に到達する前に、印刷物は固定のガイドレールを介して誘導される。このガイドレールは先端に向かって傾斜して延在する部分を備えているが、搬送装置との間に隙間の無い移行部分が不可欠である。移行部分内において下方に延在している搬送装置の先端部はガイドレールと共に緩やかな座屈部を形成し、これは搬送される印刷物の軌道を変更することができる。特に短形の印刷物は、ガイドレールと共に作用する中間搬送装置によって把持されない可能性があるため、ガイドレールに衝突して滞留しこれによって製造の中断がもたらされる。
【０００３】
従って、本発明の目的は、搬送装置から綴付け装置への印刷物の確実な搬送を保持することができる、冒頭に述べた種類の装置を提供することである。
【０００４】
前記の課題は、本発明に従って、搬送装置と中間搬送装置との間の移行領域を周囲部にドライバに対して割り当てられた少なくとも１つの窪み部を備えクロック制御して駆動される側部支持盤によって構成することによって解決される。
【０００５】
これによって搬送装置の末端に到着した印刷物を障害無く馬乗り状に中間搬送装置に移送することが可能になる。窪み部は、この窪み部内に嵌入するドライバと同時に移行部分に到達する。
【０００６】
支持盤は２つの窪み部を備えている場合周囲部において搬送速度をもって回転する。
【０００７】
略平面状の支持盤の表面が側方に傾斜して低没している搬送装置の支台の直ぐ上に配置されることが好適である。
【０００８】
支持盤は搬送装置の転向輪と結合された伝達機構によって駆動することが好適であり、これは機械サイクルを支持盤に伝達する。勿論、支持盤の駆動は回転角度制御された独立している電気モータによって行うこともできる。
【０００９】
簡便な伝達機構の実施形態として駆動結合された２本のタイミングベルト伝達機構が挙げられる。
【００１０】
支持盤の取り外しのために、これは伝達機構と結合されたハブに取り外し可能に固定されている。
【００１１】
支持作用を有する支持盤の周囲部は支台および中間搬送装置のガイドレール上の印刷物のガイド線に対して略接線接合を形成することが好適である。
【００１２】
搬送装置の両側に向かい合った支持盤を設けることが好適であり、これによって装置の信頼性が向上する。
【００１３】
次に、本発明の実施例につき添付図面を参照しながら、以下詳細に説明する。図中には説明中には詳細に記載されていない個別要素も含まれている。
【００１４】
図１および図２には、１つまたは複数の中折りされた印刷物からなる綴付けられた印刷製品２を製造するための装置１が示されている。この印刷物は、留められていない印刷製品２として、周回する個別要素からサドル形状の支台４を形成している搬送装置３の搬送端に到達する。支台４上に規則的な間隔で載置されている印刷物はその後縁部がドライバ５によって縦方向位置ずれに対向して搬送装置３上に保持される。エンドレスの牽引要素上に固定された個別要素は側方に向かって斜めに低没している支台４を形成しており、その上に印刷物が広げられた脚部をもって馬乗り状に載置されている。
【００１５】
後置されている中間搬送装置６への搬送路上において、印刷物あるいは印刷製品２は誘導装置７によって支台４の側面から押し出され、その後駆動されている支持盤８を介して誘導され、これは印刷製品２を搬送装置３と中間搬送装置６との間の移行領域に誘導する。印刷製品２は、搬送装置３の更なる回転によって印刷製品２の軌道から下方に落下する前に、ドライバ５によって中間搬送装置６の搬送領域内に搬送される。
【００１６】
中間搬送措置６は周回している牽引要素９上に固定された推進フォーク１０から構成され、支持盤８を介して搬入されてくる印刷製品２の後縁部を把持してガイドレール１１上を図示されていない綴付けステーションへ搬送する。
【００１７】
ガイドレール１１は上端にその中を推進フォーク１０が誘導されるガイド溝１２を備えており、この上端は支台４と同様に側方に向かって斜めに低没する支台面を備えている。
【００１８】
移行領域の後の更なる行程上において印刷製品２はガイドレール１１の両側に配置された押し開き楔１３によってさらに拡げられ、これによって移送に際して搬送装置３のドライバ５と中間搬送装置６の推進フォーク１０によって印刷製品２の後端が不用意に変形されることが防止される。
【００１９】
支持盤８は薄い厚みで高剛性に形成されており、従って支台４と特に平面状かつ平滑に形成されたその表面との間に極めて大きな差が存在する。
【００２０】
支持盤８は周囲部上に対向して配置された２つの窪み部１４を備えており、その中にいずれも搬送装置３のドライバ５が嵌入し、すなわち支持盤８の周囲上における窪み部の配置は搬送装置３の２つのドライバ５間の距離に相当する。搬送装置３上における印刷製品２の速度に相当する周回速度に少なくとも略同等である支持盤８の作用が搬送装置上の２つのドライバ５間で達成される。支持盤８が１つの窪み部１４のみを備えている場合、これはドライバ５に比べて２倍の速度を有する必要がある。このことは、支持盤８は推進作用を提供せず支持および誘導作用のみを提供するため、問題にならない。図２に示されているように、支持盤８はハブ上に固定することができ、窪み部１４は多様なドライバ５に対応するため図示されているものと異なった形状を有することもできる。支持盤８の駆動は、勿論独立した回転角度制御式電気モータ（図示されていない）によって、または図示されているように２つのベルト伝達機構１５，１６によって行うことができる。このため搬送装置３の転向輪１７は第１の伝達機構１５のベルト盤１８を備え、その駆動された転向ローラ１９は第２のベルト伝達機構１６の駆動ローラ２０と駆動結合されている。第２のベルト伝達機構１６は周回しているタイミングベルトに対して垂直に配置された構成を有しており、このタイミングベルトは転向輪１９の回転軸周りで周回し支持盤８と結合された駆動プーリ２２を駆動する。これらとタイミングベルト２１の作用筋部との間に転向輪２３が設けられ、その反対側で引張ローラ２４がタイミングベルト２１に作用する。第１のベルト伝達機構１５のタイミングベルト２５は引張ローラ２６によって延伸されている。
【００２１】
図１には脚部が誘導装置７によって持ち上げられている印刷製品が示されており、従って支持盤８は印刷製品２の内側折り目角部まで進入し、その間に印刷製品はドライバ５によって中間搬送装置６の作用領域に搬送される。これは推進フォーク１０によって印刷物２の後方の折り目端部の領域を把持し、これに対してドライバ５は下方に移動して印刷物２の搬送路から離れる。ガイドレール１１の側方において押し広げ楔１３が印刷製品２の当接に際してその脚部をさらに押し広げ、従って印刷製品２をドライバ５から解放して搬送することができる。誘導装置７は図示されているように平面状の段を形成するために２箇所折り曲げられたものとすることができるが；変形されたストラップを同じ目的で使用することもできる。図１においては支持盤８の駆動機構を図示するために誘導装置７は示されていない。
【図面の簡単な説明】
【００２２】
【図１】本発明に係る装置を示す側面図である。
【図２】本発明に係る装置を示す立体図である。
【符号の説明】
【００２３】
１  装置
２  印刷製品
３  搬送装置
４  支台
５  ドライバ
６  中間搬送装置
７  誘導装置
８  支持盤
９  牽引要素
１０  推進フォーク
１１  ガイドレール
１３  押し開き楔
１４  窪み部
１５，１６  ベルト伝達機構
１７，１９，２３  転向輪
１８  ベルト盤
２０  駆動ローラ
２１，２５  タイミングベルト
２２  駆動プーリ
２６  引張ローラ
【図１】
2004182473.tif 000003
【図２】
2004182473.tif 000004